(57)【特許請求の範囲】
【請求項１】
互いに嵌合可能なコネクタのうち一方のコネクタに備えられたレバーを操作することにより他方のコネクタとの嵌合または離脱がなされるレバー付きコネクタであり、
前記一方のコネクタが、前記他方のコネクタに設けられたフード部の内側に嵌合されるものとされ、
前記一方のコネクタのハウジングが、端子金具が収容される端子収容部と、前記レバーが収容されるレバー収容部と、を有し、
前記端子収容部と前記レバー収容部との間には、前記フード部の内周面に突設されたガイドリブが前記端子収容部と前記レバー収容部との並び方向に隙間なく嵌り合うガイド溝が設けられているレバー付きコネクタ。
【請求項２】
前記端子金具が電線の端末部に接続され、
前記ハウジングの後面から前記電線が後方に引き出され、
前記ハウジングの後面に、前記電線の引出部分を覆う電線カバーが、前記並び方向に交差する交差方向にスライドして取り付けられるものとされ、
前記ハウジングの前記並び方向における前記ガイド溝の形成範囲内に、前記電線カバーのスライド動作を案内する案内リブが設けられている請求項１に記載のレバー付きコネクタ。
【請求項３】
前記ハウジングのうち前記ガイド溝の内側に位置する部分に肉抜き部が設けられている請求項１または請求項２に記載のレバー付きコネクタ。
【請求項４】
前記肉抜き部に、補強壁が設けられている請求項３に記載のレバー付きコネクタ。
【請求項５】
前記端子収容部に、前記端子金具が個別に収容される端子収容室が、前記交差方向に複数並べて設けられ、
前記補強壁が、前記端子収容室の間を仕切る隔壁に前記並び方向に連なって設けられている請求項４に記載のレバー付きコネクタ。
【発明の詳細な説明】
【技術分野】
【０００１】
本発明は、レバー付きコネクタに関する。
【背景技術】
【０００２】
従来、互いに嵌合可能なコネクタのうち一方のコネクタに備えられたレバーを操作することにより他方のコネクタとの嵌合または離脱がなされるレバー付きコネクタが知られている。この種のレバー付きコネクタにおいては、例えば下記特許文献１に記載のように、平板状をなすレバーが、一方のコネクタの上面側に備えられたものが知られている。このコネクタは、端子金具が収容される端子収容部の上側に、レバーが収容されるレバー収容部が設けられたハウジングを有し、相手側コネクタに設けられたフード部内に嵌合するものとされている。
【先行技術文献】
【特許文献】
【０００３】
【特許文献１】特開２０１２−１４６４４５号公報
【発明の概要】
【発明が解決しようとする課題】
【０００４】
ところで、レバー付きコネクタは、レバーに設けられたカム溝と相手側のコネクタに設けられたカムピンとの係合によるカム作用によって、一対のコネクタが互いに引き寄せられて嵌合するものである。このため、レバーが、上記のように、コネクタの上面側のみに備えられている場合には、相手側コネクタのフード部内において、上側（レバー側）が下側よりも相対的に先に進もうとしてコネクタの姿勢が傾きがちであり、改善が望まれていた。
【０００５】
本発明は上記のような事情に基づいて完成されたものであって、コネクタを嵌合する際にコネクタの姿勢が傾くことを防ぐことが可能なレバー付きコネクタを提供することを目的とする。
【課題を解決するための手段】
【０００６】
本発明のレバー付きコネクタは、互いに嵌合可能なコネクタのうち一方のコネクタに備えられたレバーを操作することにより他方のコネクタとの嵌合または離脱がなされるレバー付きコネクタであり、前記一方のコネクタが、前記他方のコネクタに設けられたフード部の内側に嵌合されるものとされ、前記一方のコネクタのハウジングが、端子金具が収容される端子収容部と、前記レバーが収容されるレバー収容部と、を有し、前記端子収容部と前記レバー収容部との間には、前記フード部の内周面に突設されたガイドリブが前記端子収容部と前記レバー収容部との並び方向に隙間なく嵌り合うガイド溝が設けられている。
【発明の効果】
【０００７】
本発明によれば、レバーに近い位置、すなわちレバーの操作によって前傾しがちな位置において、ガイドリブとガイド溝とが端子収容部とレバー収容部との並び方向に当接するから、コネクタを嵌合する際にコネクタの姿勢が傾くことを防ぐことができる。
【図面の簡単な説明】
【０００８】
【図１】本実施例における第１コネクタを示す正面図
【図２】電線カバーが取り付けられていない状態の第１コネクタを示す背面図
【図３】第２コネクタを示す正面図
【図４】第１コネクタに電線カバーを取り付ける様子を示す一部切欠き平断面図
【図５】第１コネクタに電線カバーが取り付けられた状態を示す一部切欠き平断面図
【図６】電線カバーが取り付けられていない第１コネクタを第２コネクタに嵌合する前の状態を示す一部切欠き側断面図
【図７】ガイドリブがガイド溝に挿入された状態を示す一部切欠き側断面図
【図８】嵌合リブが嵌合溝に嵌合された状態を示す一部切欠き正断面図
【図９】電線カバーが取り付けられた第１コネクタと第２コネクタとが正規に嵌合した状態を示す平断面図
【図１０】電線カバーが取り付けられた第１コネクタと第２コネクタとが正規に嵌合した状態を示す側断面図
【発明を実施するための形態】
【０００９】
本発明の好ましい形態を以下に示す。
本発明のレバー付きコネクタは、前記端子金具が電線の端末部に接続され、前記ハウジングの後面から前記電線が後方に引き出され、前記ハウジングの後面に、前記電線の引出部分を覆う電線カバーが、前記並び方向に交差する交差方向にスライドして取り付けられるものとされ、前記ハウジングの前記並び方向における前記ガイド溝の形成範囲内に、前記電線カバーのスライド動作を案内する案内リブが設けられているものとしてもよい。このような構成によれば、ガイド溝と案内リブとを端子収容部とレバー収容部との並び方向にずらして設ける場合に比して、コネクタの端子収容部とレバー収容部との並び方向の寸法をコンパクトにすることができる。
【００１０】
また、本発明のレバー付きコネクタは、前記ハウジングのうち前記ガイド溝の内側に位置する部分に肉抜き部が設けられているものとしてもよい。このような構成によれば、ハウジングのうちガイド溝の内側に位置する部分が厚くなってヒケが生じることを防ぐことができる。
【００１１】
また、本発明のレバー付きコネクタは、前記肉抜き部に、補強壁が設けられているものとしてもよい。このような構成によれば、ヒケが生じることを防ぎつつハウジングの強度を高めることができる。
【００１２】
また、本発明のレバー付きコネクタは、前記端子収容部に、前記端子金具が個別に収容される端子収容室が、前記交差方向に複数並べて設けられ、前記補強壁が、前記端子収容室の間を仕切る隔壁に前記並び方向に連なって設けられているものとしてもよい。このような構成によれば、補強壁が隔壁からずれている場合に比して、ハウジングの強度を増すことができる。
【００１３】
＜実施例＞
以下、本発明を具体化した一実施例について、図１〜図１０を参照しつつ詳細に説明する。
本実施例におけるレバー付きコネクタは、互いに嵌合可能なコネクタのうち一方のコネクタ（以後、第１コネクタ１０と称する）に備えられたレバー３０を回動操作することにより他方のコネクタ（以後、第２コネクタ４０と称する）との嵌合または離脱がなされるものである。以下、各構成部材において、互いの嵌合面側をそれぞれ前方とし、また、図６における上側（後述する第１ハウジング１１においてレバー収容部１４が設けられた側）を上方、下側（同端子収容部１３が設けられた側）を下方として説明する。
【００１４】
第２コネクタ４０は、基板に固定される基板用コネクタであり、合成樹脂製のハウジング（以後、第２ハウジング４１と称する）と、Ｌ字形に屈曲された複数の雄側の端子金具（以後、第２端子金具４２と称する）とを備えている。
【００１５】
第２ハウジング４１には、図３に示すように、第１コネクタ１０が個別に嵌合されるコネクタ嵌合部４３が複数（本実施例では３つ）設けられている。
各コネクタ嵌合部４３は前方に開口したフード部４４を備え、このフード部４４の内側に第１コネクタ１０が嵌合される。各コネクタ嵌合部４３には、第２端子金具４２が、その先端部をフード部４４の内側に突出させた状態で取り付けられている。また、各コネクタ嵌合部４３には、第１コネクタ１０を嵌合する過程で、第１コネクタ１０に保持された雌側の端子金具（以後、第１端子金具１２と称する）を短絡する図示しないショート端子の短絡状態を解除する短絡解除部４５が、フード部４４の内側に突出して設けられている。
【００１６】
各コネクタ嵌合部４３のフード部４４の上壁には、円柱状をなすカムピン４６が下方に向かって（フード部４４の内部空間に向かって）突出して形成されている。カムピン４６は、フード部４４の前後方向における中央よりも前端寄りの位置に設けられている。
【００１７】
また、各コネクタ嵌合部４３のフード部４４の上壁には、レバー３０の初期ロックを解除するためのロック解除部４７が下方に向かって突出して形成されている。ロック解除部４７は、フード部４４の前端から後端に至るまで前後方向に直線状に延びて設けられている。
【００１８】
各コネクタ嵌合部４３の下壁には、第１コネクタ１０の下面に突設された複数（本実施例では３つ）の嵌合リブ２８がそれぞれ前方から嵌合可能な嵌合溝４９が設けられている（図３参照）。嵌合溝４９は、全てのコネクタ嵌合部４３において同じ位置に設けられた第１嵌合溝４９Ｆと、コネクタ嵌合部４３毎に異なる位置に設けられた第２嵌合溝４９Ｓとを有している。第１嵌合溝４９Ｆは、各コネクタ嵌合部４３の左右方向の両端に寄った位置に一対が設けられている。第２嵌合溝４９Ｓは、一対の第１嵌合溝４９Ｆの間に配されている。
そして、フード部４４の内周面には、ガイドリブ４８が突設されている。ガイドリブ４８については後ほど詳しく説明する。
【００１９】
第１コネクタ１０は、合成樹脂製のハウジング（以後、第１ハウジング１１と称する）と、複数の第１端子金具１２と、隣り合う一対の第１端子金具１２を短絡させる図示しないショート端子とを備えている。
【００２０】
第１コネクタ１０が第２コネクタ４０に嵌合される前においては、ショート端子が対応する一対の第１端子金具１２に接触することでそれらを短絡させ、第１コネクタ１０が第２コネクタ４０に嵌合されると、第２ハウジング４１の短絡解除部４５によりショート端子と第１端子金具１２とが非接触状態になり、第１端子金具１２間の短絡状態が解除される。
【００２１】
第１ハウジング１１は、第１端子金具１２が収容される端子収容部１３と、レバー３０が収容されるレバー収容部１４と、を有し、全体として、第２ハウジング４１のフード部４４内に嵌合可能な略方形のブロック状をなしている。
【００２２】
第１コネクタ１０には、第２コネクタ４０のガイドリブ４８が嵌合可能なガイド溝１５が設けられ、第１ハウジング１１のうちガイド溝１５の内側に位置する部分には、肉抜き部１６が設けられている。ガイド溝１５および肉抜き部１６については後ほど詳しく説明する。
【００２３】
端子収容部１３には、第１端子金具１２が個別に収容される端子収容室１３Ｒが複数設けられている。複数の端子収容室１３Ｒは、上下方向に複数段に分けられるとともに、各段に左右方向に並べて配されている。各段には同数の端子収容室１３Ｒが、左右方向に同一ピッチで配されている。
【００２４】
各端子収容室１３Ｒには、電線Ｗの端末部に接続された第１端子金具１２が後方から挿入されて収容される。端子収容室１３Ｒに正規の位置まで挿入された第１端子金具１２は、端子収容室１３Ｒに設けられた図示しないランスが係止することにより抜け止めされる。各端子収容室１３Ｒに第１端子金具１２が収容されると、第１ハウジング１１の後面から電線Ｗが後方に引き出された状態となる。
【００２５】
端子収容部１３の前面側には、フロントホルダ２９が取り付けられている（図１参照）。フロントホルダ２９は、端子収容部１３の前面の略全体を覆うことが可能な形状に形成されている。フロントホルダ２９により、各端子収容室１３Ｒの前壁が構成されるとともに、後述する肉抜き部１６の前端側が塞がれる。
【００２６】
端子収容部１３には、第１端子金具１２を係止するリテーナ２６が備えられている（図６参照）。リテーナ２６は、端子収容部１３の前後方向の略中央部に設けられたリテーナ装着部２７に装着されている。リテーナ装着部２７は、端子収容部１３の下面側に開口するとともに、最上段の端子収容室１３Ｒまで上下方向に連通している。リテーナ装着部２７に装着されたリテーナ２６は、第１端子金具１２に係止する部分が端子収容室１３Ｒから下側に退避する仮係止位置と、第１端子金具１２に係止する部分が端子収容室１３Ｒに進入する本係止位置との間を上下方向に移動可能とされている。
【００２７】
第１ハウジング１１の下面には、第２コネクタ４０に設けられた３つの嵌合溝４９にそれぞれ嵌合可能な３つの嵌合リブ２８が突設されている（図１参照）。嵌合リブ２８は、第２コネクタ４０に嵌合される全ての第１コネクタ１０において同じ位置に設けられた第１嵌合リブ２８Ｆと、第１コネクタ１０毎に異なる位置に設けられた第２嵌合リブ２８Ｓとを有している。第２嵌合リブ２８Ｓは、各第１コネクタ１０が嵌合されるべきコネクタ嵌合部４３に設けられた第２嵌合溝４９Ｓに対応する位置に設けられている。そして、第１コネクタ１０とコネクタ嵌合部４３とが適正な組み合わせで嵌合されるときには、すべての嵌合リブ２８が嵌合溝４９に嵌合され、第１コネクタ１０とコネクタ嵌合部４３とが誤った組み合わせで嵌合されようとすると、第１嵌合リブ２８Ｆの先端部が第１嵌合溝４９Ｆに嵌合した後に第２嵌合リブ２８Ｓがフード部４４の前端に突き当たって、誤嵌合が防がれるようになっている。
【００２８】
第１ハウジング１１の後面には、図４に示すように、電線Ｗの引出部分を覆う電線カバー５０が、左右方向（電線Ｗの引出方向とは交差する方向）にスライドして取り付けられる。第１ハウジング１１の後面には、電線カバー５０の前縁部が係止して左右方向にスライドされるスライド部１７が設けられている。
【００２９】
スライド部１７は、図１０に示すように、第１ハウジング１１の上下両側に設けられ、いずれも後側および左右両側に開放された空間とされている。これにより、電線カバー５０は、左右方向の向きを変えて第１ハウジング１１に取り付けることが可能とされている。なお、スライド部１７の深さ寸法（前後方向の寸法）は、上下方向の寸法よりも若干大きくされている。
【００３０】
上側のスライド部１７（以後、上側スライド部１７Ｕと称する）と、下側のスライド部１７（以後、下側スライド部１７Ｓと称する）とは、同等の大きさとされている。上側スライド部１７Ｕは、ガイド溝１５とほぼ同じ高さ位置に形成され、上下方向の寸法はガイド溝１５の上下方向の寸法と同等とされている。下側スライド部１７Ｓは、第１ハウジング１１の下面に一段下側に突出して設けられている。各スライド部１７の左右両端部には、電線カバー５０のカバー係止片５３が係止可能なカバー係止部１８が設けられている（図５参照）。
【００３１】
上側スライド部１７Ｕの下壁および下側スライド部１７Ｓの上壁は、図２に示すように、第１ハウジング１１の全幅に設けられている。また、上側スライド部１７Ｕの上壁は、第１ハウジング１１の左右両端部を残した全幅にわたり設けられている。下側スライド部１７Ｓの下壁は、第１ハウジング１１の左右方向における略中央部のみに設けられている。この下壁は、第１コネクタ１０が電線カバー５０を取り付けないで使用される場合に、第２コネクタ４０との嵌合作業時に指を当てやすい指当て部１９とされている。
各スライド部１７には、電線カバー５０のスライド動作を案内する案内リブ２０が設けられている。なお、案内リブ２０については、後ほど詳しく説明する。
【００３２】
レバー収容部１４は後方に開口し、後方からレバー３０が組み付けられるようになっている。レバー収容部１４は、第１ハウジング１１の上面の幅方向略全体にわたる大きさを有している。
【００３３】
レバー収容部１４には、図９に示すように、第２コネクタ４０のカムピン４６を受け入れる第１受入路２１と、ロック解除部４７を受け入れる第２受入路２２とが設けられている。第１受入路２１および第２受入路２２はいずれもレバー収容部１４の前端から後方に向かって直線状に延びている。第１受入路２１は第１ハウジング１１の幅方向における略中心部に位置し、第２受入路２２は第１ハウジング１１の幅方向における一端側に位置している。
【００３４】
また、レバー収容室１４には、レバー３０に設けられた初期ロック片３４が係止可能な係止受け部２３が設けられている。係止受け部２３は、レバー収容室１４の後端寄りの位置において第２受入路２２に突出する突起である。
【００３５】
レバー３０は回動式のレバー３０であって、合成樹脂製で平板状をなすカム板部３１と、レバー３０を回動する際に指を当てて操作する操作部３２とを備えている。レバー３０のカム板部３１は、僅かなクリアランスをもってレバー収容部１４に組み付けられ、操作部３２は、レバー収容部１４から後方に突出した状態になる。
【００３６】
カム板部３１の上面には、第２コネクタ４０のカムピン４６が係合するカム溝３３が形成されている。カム溝３３は、カム板部３１の端縁から中心側に延びる凹部であり、レバー３０が初期位置にあるときには、カム溝３３の入口が第１受入路２１に位置し、カム溝３３へのカムピン４６の受け入れが可能となる。
【００３７】
カム板部３１には、レバー３０が初期位置にあるときに、レバー収容室１４の係止受け部２３に係止してレバー３０を初期位置に保持する初期ロック片３４が設けられている。初期ロック片３４は、カム溝３３の入り口近傍からレバー３０の回動方向（レバー３０が初期位置から嵌合位置に回動する方向）に向かって片持ち状に延出して設けられている。初期ロック片３４の延出方向の先端部が、係止受け部２３に係止するものとされている。
【００３８】
電線カバー５０は、図１０に示すように、前面側が開放された断面Ｕ字形状をなすとともに、左右方向における一端側のみが開放された形態をなし、第１ハウジング１１から引き出された電線Ｗは、電線カバー５０内において屈曲されて開放側（以後、カバー開口部５１と称する）から引き出される。なお、電線カバー５０の左右方向の寸法は、第１ハウジング１１の左右方向の寸法とほぼ同じとされている。
【００３９】
電線カバー５０の前縁部には、図４および図５に示すように、左右方向（スライド方向）に延びるスライド溝５２が形成されている。スライド溝５２は、電線カバー５０の上下両側に設けられ、左右方向における一方の側（カバー開口部５１側）が開口し、他方の側が閉塞されている。このスライド溝５２には、後述する案内リブ２０が入り込むものとされている。
【００４０】
電線カバー５０の左右方向の一端側には、正規の位置までスライドされた電線カバー５０の位置を保持するべく、第１ハウジング１１のカバー係止部１８に係止するカバー係止片５３が設けられている。カバー係止片５３は、電線カバー５０のカバー開口部５１とは反対側の端部（取付時のスライド方向における後側の端部）に設けられている。カバー係止片５３は、取付時のスライド方向における後方（図４では下方向）に向かって片持ち状をなして延びている。
【００４１】
さて、第２コネクタ４０のフード部４４の内周面には、図３に示すように、ガイドリブ４８が突設されている。ガイドリブ４８は、フード部４４の左右両側に一対が設けられている。一対のガイドリブ４８はほぼ同じ高さ位置であって、上下方向における中央よりも上端寄りの位置に設けられている。一対のガイドリブ４８は左右に対称な形状をなし、各ガイドリブ４８を前方から見ると、左右方向の寸法（フード部４４からの突出寸法）が、上下方向の寸法よりも若干大きい長方形状をなしている。各ガイドリブ４８の下面は、フード部４４の内周面から略直角に立つ略水平な面とされ、上面は、内端縁（突出端縁）から外端縁（フード部４４の内周面）に向かって次第に下がるように緩く傾斜した面とされている。
【００４２】
ガイドリブ４８は、図６に示すように、フード部４４の前端よりも少し後側に入った位置であって、カムピン４６よりも前側の位置から後方に直線状に延びている。ガイドリブ４８の後端はフード部４４の奥壁（後端）に至っている。
【００４３】
そして、第１コネクタ１０には、フード部４４の内周面に突設されたガイドリブ４８が上下方向に隙間なく嵌り合うガイド溝１５が設けられている。ガイド溝１５は、端子収容部１３とレバー収容部１４との間に設けられている。ガイド溝１５は、図１に示すように、第１ハウジング１１の左右両側面に凹み形成された溝であり、前方に開放されている。各ガイド溝１５は、フード部４４のガイドリブ４８に整合する形状に形成され、下面が略水平をなすとともに上面が緩く傾斜している。一対のガイド溝１５は、上下方向の位置がほぼ同じであり、左右に対称な形状をなしている。一対のガイド溝１５は、第１ハウジング１１の上下方向の中心よりも上端寄りに位置している。
【００４４】
各ガイド溝１５は、図６に示すように、第１ハウジング１１の前端から後方に延び、その後端は第１ハウジング１１の後面に近い位置に至っている。なお、第１ハウジング１１のうちガイド溝１５よりも後側の部分は、電線カバー５０に備えられたカバー係止片５３が左右方向から係止可能なカバー係止部１８とされている。
【００４５】
そして、第１ハウジング１１の後面には、電線カバー５０のスライド動作を案内する案内リブ２０が設けられている。案内リブ２０は、各スライド部１７の後端に立設されている。案内リブ２０は、各スライド部１７の前後方向の寸法の略半分程度の厚さ寸法を有する壁状をなしている。案内リブ２０の寸法は、電線カバー５０の前縁部がスライド部１７に隙間なく入り込むことが可能なように設定されている。また、上側スライド部１７Ｕの案内リブ２０と下側スライド部１７Ｓの案内リブ２０とは、図６に示すように、側方から見ると略同形状をなしている。上側スライド部１７Ｕの案内リブ２０は、第１ハウジング１１の上下方向におけるガイド溝１５の形成範囲内に設けられている。
【００４６】
案内リブ２０は、図２に示すように、各スライド部１７に複数ずつ設けられている。本実施例では、上側スライド部１７Ｕには案内リブ２０が３つ、下側スライド部１７Ｓには案内リブ２０が２つ設けられている。
【００４７】
上側スライド部１７Ｕの案内リブ２０は、第１ハウジング１１の左右方向の略中央に１つと、その両側に一対が設けられている。上側スライド部１７Ｕの中央部に設けられた案内リブ２０（以後、中央案内リブ２０Ｃと称する）の大きさは、他の２つの案内リブ２０に比して左右方向には大きくされ、上下方向には小さくされている。中央案内リブ２０Ｃの左右方向の寸法は、指当て部１９の左右方向の寸法よりも若干大きくされている。中央案内リブ２０Ｃと、その両側の案内リブ２０とは同等の間隔をあけて配置され、また両側の案内リブ２０は同じ形とされている。言い換えると、中央案内リブ２０Ｃの左右方向中心線において上側スライド部１７Ｕの案内リブ２０は左右方向に対称とされている。
【００４８】
下側スライド部１７Ｓの案内リブ２０は、第１ハウジング１１の左右方向の中心に対して左右に一対が設けられ、一対の案内リブ２０はほぼ同じ大きさとされている。一対の案内リブ２０の間の中央に指当て部１９が位置している。
【００４９】
第１ハウジング１１のうちガイド溝１５の内側に位置する部分には肉抜き部１６が設けられている（図２参照）。肉抜き部１６は、左右方向の両端部を残してその中央部の略全体に設けられている。肉抜き部１６は、後方から見ると、左右方向に偏平な長方形状をなし、第１ハウジング１１の端子収容部１３の上側を前後方向に貫通している。
【００５０】
肉抜き部１６には、補強壁２４が設けられている。補強壁２４は、肉抜き部１６の上面と下面とに連結されて略垂直に立ち、肉抜き部１６を左右方向に分けている。補強壁２４は、上側スライド部１７Ｕの案内リブ２０とは左右方向にずれて設けられ、肉抜き部１６を介して端子収容部１３の前面側に臨んでいる。補強壁２４は、中央案内リブ２０Ｃの両側に一対が設けられている。補強壁２４は、前後方向に連続して形成され、その後端は、スライド部１７の近傍に至っている。
【００５１】
一対の補強壁２４は、図８に示すように、いずれも端子収容室１３Ｒの間を仕切る隔壁に上方向に連なって設けられている。なお、補強壁２４と連なった隔壁は、第１ハウジング１１の下端まで略垂直に垂下している。そして、補強壁２４、補強壁２４が連なった隔壁、および端子収容部１３の上壁は略直角に交差し、補強壁２４の下端には、端子収容部１３の上壁と隔壁とが十字形状に交差してクロス部２５が形成されている。
【００５２】
次に、第１コネクタ１０を第２コネクタ４０に嵌合する作業の一例について説明する。
まず、第１コネクタ１０のレバー３０を初期位置にするとともに電線カバー５０を取り付ける。図４に示すように、電線カバー５０のカバー開口部５１側をスライド方向の先方に配して、全ての電線Ｗを電線カバー５０内に収容しつつ、第１ハウジング１１の左端または右端から電線カバー５０の前縁部をスライド部１７に差し入れる。すると、電線カバー５０のスライド溝５２に第１ハウジング１１の案内リブ２０が入り込む。電線カバー５０をスライドさせると、電線Ｗが電線カバー５０内において屈曲し、電線カバー５０のカバー開口部５１が第１ハウジング１１の反対側の端まで至る。そして、図５に示すように、カバー係止片５３がカバー係止部１８に係止し、反対方向へのスライド移動が制限される。また、案内リブ２０がスライド溝５２の閉塞された端部に到達し、さらなるスライド動作が制限される。そして、案内リブ２０とスライド溝５２とが前後方向に係止していることにより、電線カバー５０の前後方向の離脱が制限される。こうして電線カバー５０の取り付けが完了する。
【００５３】
次いで、図７（電線カバー５０および電線Ｗは図示せず）に示すように、第１コネクタ１０をコネクタ嵌合部４３のフード部４４内に浅く嵌合させる。すると、ガイドリブ４８の前端部がガイド溝１５の前端部に進入し、その後、図８に示すように、嵌合リブ２８が嵌合溝４９に嵌合する。そして、カムピン４６が第１受入路２１からカム溝３３の入口に進入し、また、ロック解除部４７が第２受入路２２から進入して初期ロック片３４と係止受け部２３との係止状態を解除する。これにより、初期位置にあるレバー３０の回動操作が許容された状態になる。
【００５４】
次に、レバー３０を回動する。レバー３０の操作部３２を押圧してレバー３０を嵌合位置側へ回動させると、カムピン４６とカム溝３３との係合によるカム作用によって第１コネクタ１０がコネクタ嵌合部４３に引き寄せられ、フード部４４に対する第１コネクタ１０の嵌合が進む（図９参照）。
【００５５】
この嵌合過程では、第１コネクタ１０の上側が下側よりも相対的に先に進もうとして第１コネクタ１０が前のめりになろうとすると、ガイドリブ４８とガイド溝１５とが上下方向に当接するから傾くことが制限される。したがって、第１コネクタ１０は、フード部４４内を傾くことなく、すなわち第１端子金具１２が第２端子金具４２と略平行に配される正しい姿勢を保持したまま前進する。そして、第１コネクタ１０がフード部４４に対して正規の嵌合位置に至ると、各短絡解除部４５により特定の第１端子金具１２間のショート端子による短絡状態が解除され、また、各第１端子金具１２と第２端子金具４２とが電気的に接続された状態になる。こうして、第１コネクタ１０を第２コネクタ４０の１つのコネクタ嵌合部４３に嵌合する作業が完了する。このような嵌合作業を３つの第１コネクタ１０について行うと、全ての第１コネクタ１０を第２コネクタ４０に嵌合する作業が完了する。
【００５６】
次に、上記のように構成された実施例の作用および効果について説明する。
本実施例のレバー付きコネクタは、互いに嵌合可能な第１コネクタ１０および第２コネクタ４０のうち第１コネクタ１０に備えられたレバー３０を操作することにより第２コネクタ４０との嵌合または離脱がなされるものであり、第１コネクタ１０が、第２コネクタ４０に設けられたフード部４４の内側に嵌合されるものとされ、第１コネクタ１０の第１ハウジング１１は、第１端子金具１２が収容される端子収容部１３と、レバー３０が収容されるレバー収容部１４と、を有し、端子収容部１３とレバー収容部１４との間に、フード部４４の内周面に突設されたガイドリブ４８が上下方向に嵌り合うガイド溝１５が設けられている。
【００５７】
この構成によれば、レバー３０に近い位置、すなわちレバー３０の操作によって前傾しがちな位置において、ガイドリブ４８とガイド溝１５とが上下方向に当接するから、第１コネクタ１０を第２コネクタ４０のフード部４４に嵌合する際に第１コネクタ１０の姿勢が傾くことを防ぐことができる。
【００５８】
また、第１端子金具１２が電線Ｗの端末部に接続され、第１ハウジング１１の後面から電線Ｗが後方に引き出され、第１ハウジング１１の後面に、電線Ｗの引出部分を覆う電線カバー５０が、左右方向にスライドして取り付けられるものとされ、第１ハウジング１１の上下方向におけるガイド溝１５の形成範囲内に、電線カバー５０のスライド動作を案内する案内リブ２０が設けられている。
この構成によれば、ガイド溝１５と案内リブ２０とを上下方向にずらして設ける場合に比して、第１コネクタ１０をコンパクトにすることができる。
【００５９】
また、第１ハウジング１１のうちガイド溝１５の内側に位置する部分に肉抜き部１６が設けられている。この構成によれば、第１ハウジング１１のうちガイド溝１５の内側に位置する部分が厚くなってヒケが生じることを防ぐことができる。
また、肉抜き部１６に、補強壁２４が設けられている。この構成によれば、ヒケが生じることを防ぎつつ第１ハウジング１１の強度を高めることができる。
【００６０】
また、端子収容部１３に、第１端子金具１２が個別に収容される端子収容室１３Ｒが、左右方向に複数並べて設けられ、補強壁２４が、端子収容室１３Ｒの間を仕切る隔壁に上方向に連なって設けられている。この構成によれば、補強壁２４が隔壁からずれている場合に比して、第１ハウジング１１の強度を増すことができる。
【００６１】
＜他の実施例＞
本発明は上記記述及び図面によって説明した実施例に限定されるものではなく、例えば次のような実施例も本発明の技術的範囲に含まれる。
（１）上記実施例では、第２コネクタ４０に複数の第１コネクタ１０が嵌合される形態のレバー付きコネクタについて説明したが、これに限らず、本発明は、例えば、第２コネクタと第１コネクタとが一対一で嵌合するものにも適用することができる。
（２）上記実施例では、第２コネクタ４０が基板用コネクタである場合について説明したが、これに限らず、本発明は、第２コネクタが基板用コネクタではない場合にも適用することができる。
（３）上記実施例では、ガイド溝１５が第１ハウジング１１の左右両側面に設けられているが、これに限らず、ガイド溝を第１ハウジングの左右両側面のうちいずれか一方の面のみに設けてもよい。
（４）上記実施例では、案内リブ２０は、各スライド部１７に複数ずつ設けられているが、案内リブの数は適宜変更することができる。
（５）上記実施例では、肉抜き部１６は、第１ハウジング１１の端子収容部１３上部を前後方向に貫通しているが、これに限らず、例えば肉抜き部は、第１ハウジングの端子収容部を前後方向に貫通していない凹みであってもよい。
（６）上記実施例では、補強壁２４が、端子収容室１３Ｒの間を仕切る隔壁に上方向に連なって設けられているが、これに限らず、補強壁を隔壁とずれた位置に設けてもよい。
【符号の説明】
【００６２】
Ｗ…電線
１０…第１コネクタ（一方のコネクタ）
１１…第１ハウジング（一方のコネクタのハウジング）
１２…第１端子金具（端子金具）
１３…端子収容部
１３Ｒ…端子収容室
１４…レバー収容部
１５…ガイド溝
１６…肉抜き部
２０…案内リブ
２４…補強壁
３０…レバー
４０…第２コネクタ（他方のコネクタ）
４４…フード部
４８…ガイドリブ
５０…電線カバー
【図１】
0006296357.tif 000002
【図２】
0006296357.tif 000003
【図３】
0006296357.tif 000004
【図４】
0006296357.tif 000005
【図５】
0006296357.tif 000006
【図６】
0006296357.tif 000007
【図７】
0006296357.tif 000008
【図８】
0006296357.tif 000009
【図９】
0006296357.tif 000010
【図１０】
0006296357.tif 000011